(57)【要約】【課題】本発明は、充電装置とそれを搭載した自動車に関するもので、使い勝手を向上することを目的とするものである。【解決手段】本体ケース２と、この本体ケース２の側面に設けた開口部３から、この本体ケース２内、外に出し入れ自在に配置した充電台４と、この充電台４を前記本体ケース２内に収納させた状態で、この充電台４の上方に配置した充電コイル５とを備えた構成としたものであるので、携帯機器６と充電コイル５間に金属製異物が介在することは無く、その結果として簡単に充電を実行することが出来、使い勝手の良いものとなる。【選択図】図３
2013240211.tif 000002
【特許請求の範囲】
【請求項１】
本体ケースと、この本体ケースの側面に設けた開口部から、この本体ケース内、外に出し入れ自在に配置した充電台と、この充電台を前記本体ケース内に収納させた状態で、この充電台の上方に配置した充電コイルとを備えた充電装置。
【請求項２】
充電台の上面に携帯機器の設置体を設けるとともに、この充電台を本体ケース内に収納するに連動し、この設置体を上方に移動させる上昇機構を、前記充電台に設けた請求項１に記載の充電装置。
【請求項３】
設置体には、携帯機器を支持する弾性体を設けた請求項２に記載の充電装置。
【請求項４】
請求項１から３のいずれか一つに記載の充電装置を車内に設置した自動車。
【発明の詳細な説明】
【技術分野】
【０００１】
本発明は、携帯機器を、非接触式で充電する充電装置とそれを搭載した自動車に関するものである。
【背景技術】
【０００２】
この種の充電装置は、携帯機器を本体ケースの上面に載せれば、この上面下方に配置した充電コイルから磁束が供給され、これによって充電が行えるようになっている。
【０００３】
また、本体ケースの上面に、コインやクリップなどの異物が存在したときに、その異物を検出する異物検出回路が設けられている（例えば、下記特許文献１）。
【先行技術文献】
【特許文献】
【０００４】
【特許文献１】特開２０１１−３６１２５号公報
【発明の概要】
【発明が解決しようとする課題】
【０００５】
上記従来例では、本体ケースの上面に携帯機器が載せられると、下方の充電コイルから磁束が供給され、これにより非接触充電が行われるようになっている。
【０００６】
また、本体ケースの上面にコインやクリップなどの金属製異物が存在したときには、前記磁束によってコインやクリップなどが高温化するのを防止するために、異物検出回路によってこれらの異物検出を行い、携帯機器への充電を行わせないようにしている。
【０００７】
このような充電装置を例えば自動車内に設置した場合、この充電装置の機能を十分に理解していない使用者によって、本体ケースの上面にコインやクリップなどの金属製異物が載せられることが多く、この状態になると、前記異物検出回路が動作し、充電が行えない状態となる。
【０００８】
しかし、このように充電が開始されない理由が、前記コインやクリップなどの金属製異物であることを理解していない使用者にとっては、結論として充電を実行することができない状態となり、使い勝手の悪いものとなる。
【０００９】
そこで、本発明は、使い勝手を向上することを目的とするものである。
【課題を解決するための手段】
【００１０】
そしてこの目的を達成するために本発明は、本体ケースと、この本体ケースの側面に設けた開口部から、この本体ケース内、外に出し入れ自在に配置した充電台と、この充電台を前記本体ケース内に収納させた状態で、この充電台の上方に配置した充電コイルとを備えた構成とし、これによって所期の目的を達成するものである。
【発明の効果】
【００１１】
以上のように本発明は、本体ケースと、この本体ケースの側面に設けた開口部から、この本体ケース内、外に出し入れ自在に配置した充電台と、この充電台を前記本体ケース内に収納させた状態で、この充電台の上方に配置した充電コイルとを備えた構成としたものであるので、使い勝手を向上することが出来る。
【００１２】
すなわち本発明においては、本体ケースの側面に設けた開口部から、この本体ケース内、外に出し入れ自在に配置した充電台に対して携帯機器を載せ、その後この充電台を本体ケース内に押し込めば、充電台の上方に配置した充電コイルによって携帯機器への充電が行えるようになっている。
【００１３】
そして、このような構成にすれば、携帯機器と充電コイル間に金属製異物が介在することは無く、その結果として簡単に充電を実行することが出来、使い勝手の良いものとなる。
【図面の簡単な説明】
【００１４】
【図１】本発明の一実施形態にかかる充電装置の断面図
【図２】同充電装置の断面図
【図３】同充電装置の断面図
【図４】同充電装置の断面図
【図５】同充電装置の制御ブロック図
【図６】同動作フローチャート
【発明を実施するための形態】
【００１５】
以下、本発明の一実施形態を、添付図面を用いて説明する。
【００１６】
（実施の形態１）
図１において、自動車の車内に配置された充電装置１は、箱型の本体ケース２と、この本体ケース２の前面（側面の一つ）に設けた矩形状の開口部３を有する。この開口部３から、この本体ケース２内、外に出し入れ自在に配置した充電台４と、この充電台４を本体ケース２内に収納させた状態で、この充電台４上方の本体ケース２内部分に配置した充電コイル５とを備えている。
【００１７】
充電台４は、水平方向に伸びた支持板５ａと、この支持板５ａの本体ケース２外方側端部において、上方に向けて伸ばした蓋板５ｂとを備え、支持板５ａには複数のローラ１１が設けられている。
【００１８】
また、充電台４の上面には、携帯機器６の設置体７を設けており、この設置体７の後端側（本体ケース２の奥側）は、前記充電台４の後端側（本体ケース２の奥側）よりも、後方に配置している。
【００１９】
この設置体７には、前記充電台４を本体ケース２内に収納させる動作に連動し、この設置体７を上方に移動させる上昇機構８が連結されている。
【００２０】
つまり、上昇機構８は、本体ケース２外側から内側に向けて傾斜配置したレバー９と、このレバー９の上端を設置体７に軸支させ、レバー９の下端を充電台４に軸支させた軸１０により構成されている。
【００２１】
このため、充電台４を図１の状態から、図２、図３、図４と本体ケース２の内側（後方側）に押し込めば、図３のごとく設置体７の後端側（本体ケース２の奥側）が本体ケース２の内部後面に当接した状態で、上昇機構８によって設置体７が上昇させられる構成となっている。
【００２２】
そして、このような構成の設置体７には、図２のごとく携帯機器６を支持する弾性体１２を設けている。
【００２３】
また、この携帯機器６内には充電コイル１３とそれに制御部（図示せず）を介して接続された充電電池（図示せず）が設けられている。
【００２４】
以上の構成において、携帯機器６の充電電池を充電するためには、先ずは図１のごとく、充電台４を本体ケース２外に引き出し（図６のＳ１）、次に携帯機器６を、その表示部１４（図２の１４）側を下にし、弾性体１２上に載せる（図６のＳ２）。
【００２５】
その後、充電台４を本体ケース２内に、図２、図３、図４と奥側に押し込めば、充電台４の蓋板５ｂによって本体ケース２の開口部３が蓋をされた状態となる（図６のＳ３）。
【００２６】
また、この状態になると、上述のごとく設置体７が上昇機構８によって上方に持ち上げられ、この状態では携帯機器６の充電コイル１３側が、本体ケース２の充電コイル５の設置面（天井面）に、弾性体１２の弾性を利用して押し付けられることになる。
【００２７】
つまり、携帯機器６の充電コイル１３と、本体ケース２の充電コイル５が、可能な限り接近した状態となり、効率の良い充電が行える状態となる。
【００２８】
さて、図４のごとく、携帯機器６の充電コイル１３側が、本体ケース２の充電コイル５の設置面（天井面）に、弾性体１２の弾性を利用して押し付けられた状態では、本体ケース２の充電コイル５の設置面（天井面）で、充電コイル５の外周部に配置した検知センサ１５が携帯機器６で押されることで（図６のＳ４）、充電準備完了が検知され、充電が開始される（図６のＳ５）。
【００２９】
つまり、この検知センサ１５は歪センサによって構成されており、これが上述のごとく携帯機器６で押されて歪むと、図５の制御部１６を介して充電コイル５に通電が開始され、これによって携帯機器６への充電が行われるのである。
【００３０】
本実施形態における特徴は、本体ケース２内の携帯機器６上方に充電コイル５を設けたことである。
【００３１】
すなわち、このようにすれば、携帯機器６と充電コイル５間に、コインやクリップなどの金属製異物が介在することが少なく、その結果として適切な充電が行われ、極めて使い勝手の良いものとなるのである。
【００３２】
つまり、携帯機器６の充電のために、この携帯機器６を図２のごとく充電台４上に配置した状態で、さらに携帯機器６の上面にコインやクリップなどの金属製異物を置くことは極めてまれな状態であるので、これらの金属製異物によって携帯機器６への充電が阻害されることは無く、常に適切な充電が行われ、使い勝手の良いものとなるのである。
【００３３】
なお、本実施形態においては、本体ケース２の充電コイル５の設置面（天井面）で、充電コイル５の外周部に温度センサ１７を設けているので、何らかの理由で、携帯機器６が異常な温度上昇をした場合には、それを早く検出して、充電を終了させることが出来る。
【００３４】
また、本実施形態においては、前記本体ケース２の開口部３に、その上辺から下方に向けて軟質材１８を垂らしているので、充電台４上に異物が置かれていた場合にも、それを取り除くことも出来るので、これによってもコインやクリップなどの金属製異物による影響を無くすことができる。
【産業上の利用可能性】
【００３５】
以上のように本発明は、本体ケースと、この本体ケースの側面に設けた開口部から、この本体ケース内、外に出し入れ自在に配置した充電台と、この充電台を前記本体ケース内に収納させた状態で、この充電台の上方に配置した充電コイルとを備えた構成としたものであるので、携帯機器と充電コイル間に金属製異物が介在することは無く、その結果として簡単に充電を実行することが出来、使い勝手の良いものとなる。
【００３６】
したがって、各種携帯機器の充電装置としての活用が期待されるものとなる。
【符号の説明】
【００３７】
１  充電装置
２  本体ケース
３  開口部
４  充電台
５  充電コイル
５ａ  支持板
５ｂ  蓋板
６  携帯機器
７  設置体
８  上昇機構
９  レバー
１０  軸
１１  ローラ
１２  弾性体
１３  充電コイル
１４  表示部
１５  検知センサ
１６  制御部
１７  温度センサ
１８  軟質材
【図１】
2013240211.tif 000003
【図２】
2013240211.tif 000004
【図３】
2013240211.tif 000005
【図４】
2013240211.tif 000006
【図５】
2013240211.tif 000007
【図６】
2013240211.tif 000008